(57)【特許請求の範囲】
【請求項１】
３本以上の部材によって枠体が組み立てられ、前記枠体において２本の部材が１８０度以下の角度で交差する隅角部分の内側に先端部を臨ませる仕切り部材を、表面部及び前記表面部の後面に一体に設けた中空枠部とにより構成し、前記表面部の先端部を前記交差する部分の内面に接触しない形状に切断処理されているとともに、前記中空枠部の上端に、縦片及び前記縦片の上端に弧状片を設けた支持具を取り付けて交差する部分の部材の内面に止着してなる枠体の仕切り構造。
【請求項２】
支持具の弧状片に、弧状面に沿って長孔を開設してある請求項１に記載の枠体の仕切り構造。
【発明の詳細な説明】
【０００１】
【発明の属する技術分野】
本発明は、ビルの屋上、店舗用の建築物の屋根や庇、高層住宅用の建築物のエントランス、バス停や連絡通路のシェルターの頂部等に設置され、明かり採りとして、若しくは天窓として使用する両流れで切り妻形状のトップライトの妻面の枠体、その他の建築用、構築用の枠体の仕切り構造に関するものである。
【０００２】
【従来の技術】
周知のように、建築物、構築物の屋根や庇等において使用されているトップライトは、多種の構造のものが知られている。例えば片流れ若しくは両流れで切り妻形状のもの、多角錐形状のもの等があり、夫々において特有の部材を組み立てた個別の構造となっている。
そして、両流れで切り妻形状のトップライトは、前後の妻側において、妻面の左右のたる木のなす角度が、寸法や形状によって全く相違する。
したがって、従来の両流れで切り妻形状のトップライトにおいては、パネルを嵌め付け易くするために前後の妻面を左右に仕切る場合、仕切り材の上端に、左右の妻面たる木の内側のなす角度に対応する部品を取り付けて、部品の表面を妻面たる木の内側にあてがってボルトやビス等で固定している。
【０００３】
【発明が解決しようとする課題】
このため、妻側の枠体において頂部のなす角度に対応する部品を仕切り材の先端に取り付けなければならないし、しかも、角度が相違する多種類の部品を準備しておかなければ、取り付けることができない。また、建築、構築現場において仕切り材の上端を切断加工したり部品を仕切り材に取り付けることは、それだけ作業手間が増えるので時間を費やすことになり、建築、構築時間が長引くばかりでなく、コスト高にもなる。
したがって従来から、例えば両流れで切り妻形状のトップライトにおいて、前後の妻側の枠体を規格化された縦仕切り部材によってきわめて簡単に仕切る構造や手段が要望されている。
【０００４】
【課題を解決するための手段】
本発明は前記従来の欠点に鑑み、また従来からの要望に対応させるために提案されたもので、３本以上の部材によって枠体が組み立てられ、前記枠体において２本の部材が１８０度以下の角度で交差する隅角部分の内側に先端部を臨ませる仕切り部材を、表面部及び前記表面部の後面に一体に設けた中空枠部とにより構成し、前記表面部の先端部を前記交差する部分の内面に接触しない形状に切断処理されているとともに、前記中空枠部の上端に、縦片及び前記縦片の上端に弧状片を設けた支持具を取り付けて交差する部分の部材の内面に止着してなる枠体の仕切り構造である。
【０００５】
また本発明によれば、前記支持具の弧状片には、弧状面に沿って長孔を開設してある構成である。
【０００６】
【発明の実施の形態】
以下に本発明を、枠体として建築物用、構築物用のトップライトとして利用した場合の実施の形態を図面に基づいて説明する。
建築物用、構築物用のトップライト１は、四辺形状の下枠部２と、前記下枠部２から斜め上方に向って設ける左右の複数本のたる木３と、前記左右のたる木３の頂部に位置する棟木４とを組んだ両流れの切り妻形状で、前後には前記下枠部２の前後の部分を構成する妻面下枠部材５と、傾斜する左右の妻面たる木６とによって囲まれる二等辺三角形状の妻面７が構成される。したがって、前記左右の妻面たる木６が本発明における１８０度以下の角度で交差する部材に相当するとともに、妻面７が本発明における枠体に相当する。また、左右の妻面たる木６が交差する頂部は、本発明における隅角部分に相当する。
【０００７】
前記妻面７を左右に仕切るための縦仕切り部材８は、妻面７の中央において縦方向に位置し、この縦仕切り部材８が本発明の仕切り部材に相当する。
【０００８】
前記縦仕切り部材８は、アルミニウム等の金属の押し出し成形部材からなり、縦長な表面部９と、前記表面部９の後面に一体に設けた中空枠部１０とにより構成し、前記表面部９の両側縁には後方に折曲する側片１１を一体に設ける。
【０００９】
そして、前記縦仕切り部材８の上端には、支持具１２を取り付ける。
前記支持具１２は、縦片１３の上端に前向きに屈曲する連結片１４を介して横向きの弧状片１５を一体に設けた構成で、前記弧状片１５には、弧状面に沿って長孔１６が開設されている。
【００１０】
前記トップライト１はあらかじめ下枠部２、たる木３及び棟木４によって組み立てられているので、妻面７の中央位置に縦仕切り部材８を縦方向に取り付けるには、縦仕切り部材８をあらかじめ妻面７の中央の高さに相当する長さに切断する。
【００１１】
そして、縦仕切り部材８の上端部を、左右の妻面たる木６の頂部のなす角度にほぼ一致する程度の角度であって両流れの矢印状に切断するとともに、中空枠部１０の内部に支持具１２の縦片１３を上から挿着して中空枠部１０の後側内面に当接させ、中空枠部１０の後側から止着するタップビス１７によって、弧状片１５が縦仕切り部材８の上端に位置するように支持具１２を固定する。
しかし、縦仕切り部材８の上端部の切断形状は、妻面たる木６の頂部の内面に接触しない限り、円弧状であってもその他の形状であってもよい。
【００１２】
この作業によって、縦仕切り部材８の上端に支持具１２が固定されるので、縦仕切り部材８を妻面７の空部の中央に縦方向に位置させ、縦仕切り部材８の下端部を妻面下枠部材５にビスで止着して弧状片１５を妻面７の頂部内面に臨ませ、弧状片１５の下側から長孔１６に通すタップビス１８を妻面たる木６の下面に打ち込む。
【００１３】
したがって、縦仕切り部材８は妻面７の中央位置において上下が固定されるので安定して縦方向に支持されて妻面７を左右に仕切ることができ、左右に仕切られる直角三角形状の妻面７の空間にガラス等のパネルを取り付けたり、開閉窓を取り付けて採光、換気作用を機能させることができる。
【００１４】
そして、縦仕切り部材８の上端に設けた支持具１２の弧状片１５によって、左右の妻面たる木６の頂部における角度が相違しても、長孔１６によって適正な状態で固定することができるので、縦仕切り部材８と支持具１２を使用するだけでトップライト１がどのような寸法や形状であっても安定して縦仕切り部材８を固定することができる。また、支持具１２の固定位置を縦片１３の長さ分だけ上下に調整することができるので、縦仕切り部材８の切断寸法に誤差があったとしてもただちに対応することができる。
【００１５】
以上本発明を図面に示す実施の形態に基づいて説明したが、本発明は前記実施の形態に限定されるものではなく、特許請求の範囲に記載の構成を変更しない限りどのような構成でも実施することができる。
例えば、弧状片１５に長孔１６を設けないで、弧状片１５の内面からタップビスを妻面たる木６の下面に直接打ち込むようにしてもよい。
【００１６】
【発明の効果】
以上要するに本発明は、３本以上の部材によって枠体が組み立てられ、前記枠体において２本の部材が１８０度以下の角度で交差する隅角部分の内側に先端部を臨ませる仕切り部材を、表面部及び前記表面部の後面に一体に設けた中空枠部とにより構成し、前記表面部の先端部を前記交差する部分の内面に接触しない形状に切断処理されているとともに、前記中空枠部の上端に、縦片及び前記縦片の上端に弧状片を設けた支持具を取り付けて交差する部分の部材の内面に止着してなる構成である。
したがって、本発明における枠体としてのトップライトがどのような形状や寸法であっても、規格化された縦仕切り部材を使用して、きわめて簡単に縦仕切り部材を妻面に固定することができる。このため、トップライトの設置作業や組立作業がきわめて簡単となり、建築物や構築物の作業も軽減することができるばかりでなく、多種類の支持具を用意する必要がないし、使用に際して多種類の支持具から最適の支持具を選択して使用する煩わしさがない。
更に、使用する部材が縦仕切り部材と支持具だけであって部品数が少数であるから、きわめて低廉に供することができ、実用的価値の高いトップライトを提供することができる。
【００１７】
しかも、弧状片に長孔を開設することにより、妻面たる木に対するビス止めを容易にする効果がある。
【図面の簡単な説明】
【図１】本発明のトップライトを示す概略斜視図である。
【図２】トップライトの妻面の一部を欠截した正面図である。
【図３】縦仕切り部材の上端部分の一部を欠截した拡大正面図である。
【図４】縦仕切り部材の上端部の平面図である。
【図５】支持具の斜視図である。
【符号の説明】
１  トップライト
２  下枠部
３  たる木
４  棟木
５  妻面下枠部材
６  妻面たる木
７  妻面
８  縦仕切り部材
９  表面部
１０  中空枠部
１１  側片
１２  支持具
１３  縦片
１４  連結片
１５  弧状片
１６  長孔
【図１】
0003725645.tif 000002
【図２】
0003725645.tif 000003
【図３】
0003725645.tif 000004
【図４】
0003725645.tif 000005
【図５】
0003725645.tif 000006